(57)【特許請求の範囲】
【請求項１】
屋根面上で原動機の動力により速度調節、走行方向変換および停止のできる走行操縦機構と、加圧塗装液の通路を開閉する開閉弁機構と、走行方向と横断方向に所要の間隔で離隔し、前記開閉弁機構に連通して屋根に向けて噴射する複数個のスプレイノズルと、前記屋根に向けて噴射する複数個のスプレイノズルを収容すると共に、下縁の屋根外面に可及的に接近した状態で離隔する噴霧塗装液の飛散防止と、沈静、沈降を図る噴霧ボックスとからなる屋根用走行塗装機において、フレームの下面前後に夫々左右に対面する一対のブラケットを取付けて車輪軸を軸受し、走行車輪を回転自在に前後に配置し、フレームに設備したモーターより減速機構の出力軸に回転を伝達し、その出力軸と前記車輪軸とを伝動機構を介して伝動し、走行噴霧操作盤の電圧制御ダイヤルノブにより供給電圧を制御してモーターの回転数を変え、走行速度を調節し、正逆スイッチの切替で前記モーターの正転・逆転を行い屋根面上で電動機の動力により速度調節、走行方向変換および停止のできる走行操縦機構を備え、加圧塗装液給送ホースは開閉弁を介してスプレイノズルに連通し、開閉弁は、スプレイノズル銃を用い、開閉レバーをソレノイドの電磁操作杆と関連し、操作盤のスプレイスイッチを押すことによってソレノイドを作動し、開閉レバーを引き、加圧塗装液をスプレイノズルから噴霧する加圧塗装液の通路を開閉する開閉弁機構を具え、前壁板の下縁と、後壁板の下縁は、前後に対応し、屋根の谷底面、左右サイド傾斜面およびトップ面に対して接触しないで走行できる程度に可及的接近したジグザグ形状に形成し、前記開閉弁機構に連通して屋根に向けて噴射する複数個のスプレイノズルを収容し、前記屋根面上で原動機の動力により速度調節、走行方向変換および停止のできる走行機構に支架される噴霧ボックスを具え、前記屋根面上で原動機の動力により速度調節、走行方向変換および停止のできる走行操縦機構の後部には、チャンネル型鋼板の一辺部を前部の両側面に取付けて、他辺部を前面と離隔して対応させて係合取付け溝を設け、この係合取付け溝に前記開閉弁機構に連通して屋根に向けて噴射する複数個のスプレイノズルを収容する噴霧ボックスの後壁中央部外面に設けたブラケット部を上から差込んで、噴霧ボックスをワンタッチで着脱自在に支架してなる屋根用走行塗装機。
【請求項２】
屋根面上で原動機の動力により速度調節、走行方向変換および停止のできる走行操縦機構と、加圧塗装液の通路を開閉する開閉弁機構と、走行方向と横断方向に所要の間隔で離隔し、前記開閉弁機構に連通して屋根に向けて噴射する複数個のスプレイノズルと、前記屋根に向けて噴射する複数個のスプレイノズルを収容すると共に、下縁の屋根外面に可及的に接近した状態で離隔する噴霧塗装液の飛散防止と、沈静、沈降を図る噴霧ボックスとからなる屋根用走行塗装機において、フレームの下面前後に夫々左右に対面する一対のブラケットを取付けて車輪軸を軸受し、走行車輪を回転自在に前後に配置し、フレームに設備したモーターより減速機構の出力軸に回転を伝達し、その出力軸と前記車輪軸とを伝動機構を介して伝動し、走行噴霧操作盤の電圧制御ダイヤルノブにより供給電圧を制御してモーターの回転数を変え、走行速度を調節し、正逆スイッチの切替で前記モーターの正転・逆転を行い屋根面上で電動機の動力により速度調節、走行方向変換および停止のできる走行操縦機構を備え、加圧塗装液給送ホースは開閉弁を介してスプレイノズルに連通し、開閉弁は、スプレイノズル銃を用い、開閉レバーをソレノイドの電磁操作杆と関連し、操作盤のスプレイスイッチを押すことによってソレノイドを作動し、開閉レバーを引き、加圧塗装液をスプレイノズルから噴霧する加圧塗装液の通路を開閉する開閉弁機構を具え、前壁板の下縁と、後壁板の下縁は、前後に対応し、屋根の谷底面、左右サイド傾斜面およびトップ面に対して接触しないで走行できる程度に可及的接近したジグザグ形状に形成し、前記開閉弁機構に連通して屋根に向けて噴射する複数個のスプレイノズルを収容し、前記屋根面上で原動機の動力により速度調節、走行方向変換および停止のできる走行機構に支架される噴霧ボックスを具え、前記開閉弁機構に連通して屋根に向けて噴射する複数個のスプレイノズルを収容する噴霧ボックスを構成する前壁板には、左右に一対のガイドローラーを、前壁板の谷底下縁より下方に突出して設けている屋根用走行塗装機。
【発明の詳細な説明】
【０００１】
【発明の属する技術分野】
この発明は、工場、公共施設建物等の大型の屋根上を走行し、塗装する屋根用走行塗装機に関する。
【０００２】
【従来の技術】
従来、この種の大型の屋根上を走行し、噴霧塗装する装置は提案されている。そしてこの噴霧塗装液の飛散を防止するため、塗装噴霧液回収機構を付設している。
【０００３】
【発明が解決しようとする課題】
従来、大型屋根の大面積を一刷毛ずつの手塗りの作業の非能率を解消するために、提案された前記従来の大型屋根走行塗装装置では、大量に噴出される噴霧液の回収装置を付設しているから、その塗装動力装置、フィルター装置を含めて噴霧液の回収動力装置と、走行塗装装置が大型化し、屋根上への吊り上げ、屋根上での走行方向の転回作業に４〜５人の人手を必要とするようになり、能率の悪いものにしている。
【０００４】
この発明は、かかる従来のこの種装置が持つ欠点を解消して、小型・軽量および操作の容易化を図り、一人〜二人の小人数の作業者によって能率的に塗装作業が行える屋根用走行塗装機を提供しようとなされたものである。
【０００５】
【課題を解決するための手段】
屋根面上で原動機の動力により速度調節、走行方向変換および停止のできる走行操縦機構と、加圧塗装液の通路を開閉する開閉弁機構と、走行方向と横断方向に所要の間隔で離隔し、前記開閉弁機構に連通して屋根に向けて噴射する複数個のスプレイノズルと、前記屋根に向けて噴射する複数個のスプレイノズルを収容すると共に、下縁の屋根外面に可及的に接近した状態で離隔する噴霧塗装液の飛散防止と、沈静、沈降を図る噴霧ボックスとからなる屋根用走行塗装機において、フレームの下面前後に夫々左右に対面する一対のブラケットを取付けて車輪軸を軸受し、走行車輪を回転自在に前後に配置し、フレームに設備したモーターより減速機構の出力軸に回転を伝達し、その出力軸と前記車輪軸とを伝動機構を介して伝動し、走行噴霧操作盤の電圧制御ダイヤルノブにより供給電圧を制御してモーターの回転数を変え、走行速度を調節し、正逆スイッチの切替で前記モーターの正転・逆転を行い屋根面上で電動機の動力により速度調節、走行方向変換および停止のできる走行操縦機構を備え、加圧塗装液給送ホースは開閉弁を介してスプレイノズルに連通し、開閉弁は、スプレイノズル銃を用い、開閉レバーをソレノイドの電磁操作杆と関連し、操作盤のスプレイスイッチを押すことによってソレノイドを作動し、開閉レバーを引き、加圧塗装液をスプレイノズルから噴霧する加圧塗装液の通路を開閉する開閉弁機構を具え、前壁板の下縁と、後壁板の下縁は、前後に対応し、屋根の谷底面、左右サイド傾斜面およびトップ面に対して接触しないで走行できる程度に可及的接近したジグザグ形状に形成し、前記開閉弁機構に連通して屋根に向けて噴射する複数個のスプレイノズルを収容し、前記屋根面上で原動機の動力により速度調節、走行方向変換および停止のできる走行機構に支架される噴霧ボックスを具え、前記屋根面上で原動機の動力により速度調節、走行方向変換および停止のできる走行操縦機構の後部には、チャンネル型鋼板の一辺部を前部の両側面に取付けて、他辺部を前面と離隔して対応させて係合取付け溝を設け、この係合取付け溝に前記開閉弁機構に連通して屋根に向けて噴射する複数個のスプレイノズルを収容する噴霧ボックスの後壁中央部外面に設けたブラケット部を上から差込んで、噴霧ボックスをワンタッチで着脱自在に支架してなる屋根用走行塗装機にある。
【０００６】
屋根面上で原動機の動力により速度調節、走行方向変換および停止のできる走行操縦機構と、加圧塗装液の通路を開閉する開閉弁機構と、走行方向と横断方向に所要の間隔で離隔し、前記開閉弁機構に連通して屋根に向けて噴射する複数個のスプレイノズルと、前記屋根に向けて噴射する複数個のスプレイノズルを収容すると共に、下縁の屋根外面に可及的に接近した状態で離隔する噴霧塗装液の飛散防止と、沈静、沈降を図る噴霧ボックスとからなる屋根用走行塗装機において、フレームの下面前後に夫々左右に対面する一対のブラケットを取付けて車輪軸を軸受し、走行車輪を回転自在に前後に配置し、フレームに設備したモーターより減速機構の出力軸に回転を伝達し、その出力軸と前記車輪軸とを伝動機構を介して伝動し、走行噴霧操作盤の電圧制御ダイヤルノブにより供給電圧を制御してモーターの回転数を変え、走行速度を調節し、正逆スイッチの切替で前記モーターの正転・逆転を行い屋根面上で電動機の動力により速度調節、走行方向変換および停止のできる走行操縦機構を備え、加圧塗装液給送ホースは開閉弁を介してスプレイノズルに連通し、開閉弁は、スプレイノズル銃を用い、開閉レバーをソレノイドの電磁操作杆と関連し、操作盤のスプレイスイッチを押すことによってソレノイドを作動し、開閉レバーを引き、加圧塗装液をスプレイノズルから噴霧する加圧塗装液の通路を開閉する開閉弁機構を具え、前壁板の下縁と、後壁板の下縁は、前後に対応し、屋根の谷底面、左右サイド傾斜面およびトップ面に対して接触しないで走行できる程度に可及的接近したジグザグ形状に形成し、前記開閉弁機構に連通して屋根に向けて噴射する複数個のスプレイノズルを収容し、前記屋根面上で原動機の動力により速度調節、走行方向変換および停止のできる走行機構に支架される噴霧ボックスを具え、前記開閉弁機構に連通して屋根に向けて噴射する複数個のスプレイノズルを収容する噴霧ボックスを構成する前壁板には、左右に一対のガイドローラーを、前壁板の谷底下縁より下方に突出して設けている屋根用走行塗装機としてもよいものである。
【０００７】
【発明の実施の態様】
屋根面上で原動機の動力により速度調節、走行方向変換および停止のできる走行操縦機構と、加圧塗装液の通路を開閉する開閉弁機構と、走行方向と横断方向に所要の間隔で離隔し、前記開閉弁機構に連通して屋根に向けて噴射する複数個のスプレイノズルと、前記屋根に向けて噴射する複数個のスプレイノズルを収容すると共に、下縁の屋根外面に可及的に接近した状態で離隔する噴霧塗装液の飛散防止と、沈静、沈降を図る噴霧ボックスとからなる屋根用走行塗装機において、フレームの下面前後に夫々左右に対面する一対のブラケットを取付けて車輪軸を軸受し、走行車輪を回転自在に前後に配置し、フレームに設備したモーターより減速機構の出力軸に回転を伝達し、その出力軸と前記車輪軸とを伝動機構を介して伝動し、走行噴霧操作盤の電圧制御ダイヤルノブにより供給電圧を制御してモーターの回転数を変え、走行速度を調節し、正逆スイッチの切替で前記モーターの正転・逆転を行い屋根面上で電動機の動力により速度調節、走行方向変換および停止のできる走行操縦機構を備え、加圧塗装液給送ホースは開閉弁を介してスプレイノズルに連通し、開閉弁は、スプレイノズル銃を用い、開閉レバーをソレノイドの電磁操作杆と関連し、操作盤のスプレイスイッチを押すことによってソレノイドを作動し、開閉レバーを引き、加圧塗装液をスプレイノズルから噴霧する加圧塗装液の通路を開閉する開閉弁機構を具え、前壁板の下縁と、後壁板の下縁は、前後に対応し、屋根の谷底面、左右サイド傾斜面およびトップ面に対して接触しないで走行できる程度に可及的接近したジグザグ形状に形成し、前記開閉弁機構に連通して屋根に向けて噴射する複数個のスプレイノズルを収容し、前記屋根面上で原動機の動力により速度調節、走行方向変換および停止のできる走行操縦機構の後部には、チャンネル型鋼板の一辺部を前部の両側面に取付けて、他辺部を前面と離隔して対応させて係合取付け溝を設け、この係合取付け溝に前記開閉弁機構に連通して屋根に向けて噴射する複数個のスプレイノズルを収容する噴霧ボックスの後壁中央部外面に設けたブラケット部を上から差込んで、噴霧ボックスをワンタッチで着脱自在に支架し、また、この噴霧ボックスを構成する前壁板には、左右に一対のガイドローラーを、前壁板の谷底下縁より下方に突出して設けている屋根用走行塗装機。
【０００８】
【実施例】
以下、この発明の屋根用走行塗装機を実施の一例として示す図面により説明すると、図１は、屋根１の谷底面１ａの外面に接して移動する台車２であり、台車フレーム２ａの下面前後に夫々左右に対面する一対のブラケット３、３を取付けて車輪軸４、４を軸受し、走行車輪５、５を回転自在に配置する。台車フレーム２ａに設備したモーター６より減速機構７の出力軸８に回転を伝達し、その出力軸８に設けたチエンギヤ９と、前記車輪軸４、４に夫々取付けたチエンギヤ１０、１０をチエン１１により伝動し、走行車輪５、５を回転する。この操作は、例えば、走行噴霧操作盤１２から直流電力を供給し、また走行噴霧操作盤１２の電圧制御ダイヤルノブ１３により電圧を制御してモーター６の回転数を変え、台車２の走行速度を調節し、また正逆スイッチ１４の切替えで、前記モーター６の正転・逆転を行い、台車２の前進と後進を行うことができる。前記実施例の走行噴霧操作盤１２は、作業員が持ち運び、操作するがラジコン操作をすることは、可能である。
【０００９】
台車２の前後部の左右側面には、転倒防止コロ１５、１６を突設し、この転倒防止コロ１５、１６が屋根１のサイド傾斜面１ｂに連接することにより台車２を安定し、またスムーズに走行する。
【００１０】
台車２には、加圧塗装液給送ホース１７が連結し、開閉弁１８を介してスプレイノズル１９に連通する。図示の実施例では、開閉弁１８は、スプレイノズル銃を用い、開閉レバー２０をソレノイド２１の電磁操作杆２１ａと関連し、前記走行噴霧操作盤１２のスプレイスイッチ２２を押すことによってソレノイド２１を作動し、その電磁操作杆２１ａの引きによって開閉レバー２０を引き、加圧塗装液をスプレイノズル１９から噴霧する。
【００１１】
台車２の後部に突出し、左右に折曲自在の接手部２３ａ、２３ａを持つ自在接手管２３を配備し、その基端側を前記開閉弁１８に連通すると共に、前記接手部２３ａ、２３ａに左分岐管２４ａと右分岐管２４ｂを接続し、その左分岐管２４ａと右分岐管２４ｂに、先端に前記スプレイノズル１９を夫々内向き所要角度で取付けた支管２５を夫々取付けて左右にスプレイノズル１９を２個ずつ配備している。
【００１２】
台車２の後部には、チャンネル型鋼板２６の一辺部２６ａを前部の両側面に取付け、他辺部２６ｂを前面と離隔対応させて係合取付け溝２７ａ、２７ｂを設け、この係合取付け溝２７ａ、２７ｂに噴霧ボックス２８の後壁中央部外面に設けたブラケット部２９を上から差込んで、噴霧ボックス２８をワンタッチで着脱自在に台車２に支架している。
【００１３】
前記噴霧ボックス２８は、その内方に前記接手部２３ａ、２３ａに接続する左分岐管２４ａと右分岐管２４ｂおよびその左分岐管２４ａと右分岐管２４ｂに、先端に支管２５を介して取付ける左右のスプレイノズル１９を４個の全部を、収容している。そしてこの噴霧ボックス２８は、前記スプレイノズル１９から噴霧する塗装噴霧液を噴霧ボックス２８内に閉じ込めて外方へ飛散することを防止し、また噴霧ボックス２８内で飛散エネルギーを発散し、その沈静・沈降を図り、その飛散塗装噴霧液の大部分を屋根１に付着させる。
【００１４】
前記噴霧ボックス２８を構成する前壁板２８ａの下縁２８ａ１と、後壁板２８ｂの下縁２８ｂ１は、前後に対応し、屋根１の谷底面１ａ、左右のサイド傾斜面１ｂおよびトップ面１ｃに対して接触しないで走行ができる程度に可及的接近したジグザク形状に形成し、さらに前壁板２８ａのジグザク形状の下縁２８ａ１と、後壁板２８ｂのジグザク形状の下縁２８ｂ１の屋根のトップ面と対応する面に、屋根の取付けボルトの頭等の突起（図示しない）を避ける切抜き溝３０ａを前壁板２８ａのジグザク形状の下縁２８ａ１に切抜き溝３０ａを、また後壁板２８ｂのジグザク形状の下縁２８ｂ１に切抜き溝３０ｂを夫々形成している。
【００１５】
前記噴霧ボックス２８を構成する前壁板２８ａには、また、図面に示すように、左右に一対のガイドローラー３１ａ、３１ｂを、前壁板２８ａの谷底下縁２８ａ１ａ、２８ａ１ａより下方に突出して設けている。
【００１６】
前記噴霧ボックス２８を構成する前壁板２８ａの裏面には、さらに、掛合具３２ａ、３２ｂを取付け、前記のように、噴霧ボックス２８を台車２に支架する時、上方から左右分岐管２４ａ、２４ｂに掛合し、掛合具３２ａ、３２ｂの夫々の挿入部に、差渡しピン３３ａ、３３ｂを噴霧ボックス２８の前方から差込んで夫々の挿入部の入口を閉鎖し、台車２と噴霧ボックス２８とを一体化している。
【００１７】
台車２の後部には、先端を後方に向けて斜めに起立する支板３４を突設し、噴霧ボックス２８を台車２に支架する時、前記左右分岐管２４ａ、２４ｂの掛合と同時に噴霧ボックス２８の中央後部と先端が連接し、噴霧ボックス２８を支承する。
【００１８】
前記噴霧ボックス２８の上縁は開口するが、噴霧塗装時には、接着テープ付きの養生フイルム３５を貼り渡して閉鎖し、スプレイノズル１９からの噴霧塗装液が噴霧ボックス２８の上方から外に漏れないようにしている。
【００１９】
図７に示すように、左右分岐管２４ａ、２４ｂを配置して４個のスプレイノズル１９から噴霧する時、その図８において、（１）の範囲の部分は、最初の一列となるので、例えば、手塗りを行い、次に、（２）および（３）の範囲の屋根の部分を走行塗装する。このような範囲の走行塗装を、図８に示すように、往復塗装し、最後に残った一列を同じく手塗りによって塗装を終了する。この走行塗装は、走行噴霧操作盤１２のスプレイスイッチ２２によって噴霧塗装液の開閉と、電圧制御ダイヤルノブ１３による台車２の走行速度の調整と、正逆スイッチ１４の切替による台車２の前進と後進を行うことができる。この場合において、３６は給電線である。また走行噴霧操作盤１２に、エアースイッチ３７を設け、コンプレッサーを操作しても、また走行噴霧操作盤１２に、メインスイッチ３８を設けて、前記正逆スイッチ１４をステッキ型のものを使用し、直立した中間を停止するように設けてもよいものである。
【００２０】
図９に示すように、左右一体型分岐管２４として３箇所の部分に４個のスプレイノズル１９を配置し、その中央部分を外側に向けた方式で噴霧することもできる。そして、この実施例は、前記も同様であるが、互いに噴霧する方向が交差する時は、そのスプレイノズル１９の位置を前後にずらすことによりその干渉を避けることができる。
【００２１】
【発明の効果】
この発明の屋根用走行塗装機は、以上のようになるから、軽量に構成することができ、重量を一人の作業員が容易に取り回し可能な所まで下げることができる。そして、広大な工場等の屋根の塗装作業を極めて能率的に行うことができるのである。
【００２２】
また、この発明の屋根用走行塗装機は、屋根面上で原動機の動力により速度調節、走行方向変換および停止のできる走行操縦機構の後部には、チャンネル型鋼板の一辺部を前部の両側面に取付け、他辺部を前面と離隔対応させて係合取付け溝を設け、この係合取付け溝に開閉弁機構に連通して屋根に向けて噴射する複数個のスプレイノズルを収容する噴霧ボックスの後壁中央部外面に設けたブラケット部を上から差込んで、噴霧ボックスをワンタッチで着脱自在に支架しているから、走行操縦機構と噴霧ボックスの組立・分解が容易に行え、屋根への引上げと屋根からの下降作業を極めて容易に行うことができる。
【００２３】
また、この発明の屋根用走行塗装機は、開閉弁機構に連通して屋根に向けて噴射する複数個のスプレイノズルを収容するボックスを構成する前壁板には、左右に一対のガイドローラーを、前壁板の谷底下縁より下方に突出して設けているから、安定して走行塗装をすることができ、噴霧ボックスの下縁と屋根外面との離隔距離を正確に維持し、擦ることがなく、かつ噴霧塗装液粒子の外部への漏れを防止することができるのである。
【図面の簡単な説明】
【図１】この発明の屋根用走行塗装機の実施例を示す側面図である。
【図２】同じく、この発明の屋根用走行塗装機の実施例を示す平面図である。
【図３】同じく、その噴霧ボックスを外し、屋根に載せた状態の説明斜視図である。
【図４】同じく、一部を切り欠いた噴霧ボックス単体の正面図である。
【図５】同じく、一部を切り欠いた噴霧ボックス単体の背面図である。
【図６】同じく、一部を切り欠いた噴霧ボックス単体の側面図である。
【図７】同じく、４本のノズルによる実施例の屋根の塗装範囲例を示す説明正面図である。
【図８】同じく、４本のノズルによる屋根の走行塗装範囲例および順序を説明する説明平面図である。
【図９】同じく、４本のノズルを３箇所に配置した実施例による屋根の塗装範囲例を示す説明正面図である。
【図１０】同じく、電圧制御ダイヤルノブ、正逆スイッチ、スプレイスイッチ、エアースイッチおよびメインスイッチを装備した走行噴霧操作盤の一例を示す平面図である。
【符号の説明】
１  屋根
１ａ  谷底面
１ｂ  サイド傾斜面
１ｃ  トップ面
２  台車
２ａ  台車フレーム
３  一対のブラケット
４  車輪軸
５  走行車輪
６  モーター
７  減速機構
８  出力軸
９  チエンギヤ
１０  チエンギヤ
１１  チエン
１２  走行噴霧操作盤
１３  電圧制御ダイヤルノブ
１４  正逆スイッチ
１５  転倒防止コロ
１６  転倒防止コロ
１７  加圧塗装液給送ホース
１８  開閉弁
１９  スプレイノズル
２０  開閉レバー
２１  ソレノイド
２１ａ  電磁操作杆
２２  スプレイスイッチ
２３  自在接手管
２３ａ  接手部
２４  左右一体型分岐管
２４ａ  左分岐管
２４ｂ  右分岐管
２５  支管
２６  チャンネル型鋼板
２６ａ  一辺部
２６ｂ  他辺部
２７ａ  係合取付け溝
２７ｂ  係合取付け溝
２８  噴霧ボックス
２８ａ  前壁板
２８ａ１  下縁
２８ａ１ａ  谷底下縁
２８ｂ  後壁板
２８ｂ１  下縁
２９  ブラケット部
３０ａ  切抜き溝
３０ｂ  切抜き溝
３１ａ  ガイドローラー
３１ｂ  ガイドローラー
３２ａ  掛合具
３２ｂ  掛合具
３３ａ  差渡しピン
３３ｂ  差渡しピン
３４  支板
３５  接着テープ付きの養生フイルム
３６  給電線
３７  エアースイッチ
３８  メインスイッチ
【図１】
0003567363.tif 000002
【図２】
0003567363.tif 000003
【図３】
0003567363.tif 000004
【図４】
0003567363.tif 000005
【図５】
0003567363.tif 000006
【図６】
0003567363.tif 000007
【図７】
0003567363.tif 000008
【図８】
0003567363.tif 000009
【図９】
0003567363.tif 000010
【図１０】
0003567363.tif 000011